(57)【要約】【課題】本発明は特に光ピックアップ装置およびこれに用いられる光学素子およびその製造方法に関するもので、光ピックアップ装置の低背化を目的とする。【解決手段】光学レンズ７と支持体６とからなる光学素子４において、光学レンズを支持体に固着させる接着剤８を光学レンズ７と支持体６との当接面に設けるのみならず支持体６の開口端面側に設けて突出部９を形成し、この突出部９の高さを光学レンズ７の上端面より高く設定する。【選択図】図２
2005085291.tif 000002
【特許請求の範囲】
【請求項１】
光学レンズと、この光学レンズを開口端部分で支持する筒状の支持体と、前記光学レンズを前記支持体に固着させる接着剤とからなり、前記接着剤を前記光学レンズと前記支持体との当接面に設けるのみならず前記支持体の開口端面側に設けて突出部を形成し、この突出部の高さを前記光学レンズの上端面より高く設定したことを特徴とする光学素子。
【請求項２】
接着剤としてエポキシ系樹脂を用いたことを特徴とする請求項１に記載の光学素子。
【請求項３】
突出部を支持体の上端面及び光学レンズの外周端部分に跨るように設けたことを特徴とする請求項１に記載の光学素子。
【請求項４】
突出部を光学レンズの外周端部分の全周に連続して設けたことを特徴とする請求項３に記載の光学素子。
【請求項５】
突出部の上端面を湾曲面としたことを特徴とする請求項１に記載の光学素子。
【請求項６】
光学レンズと、この光学レンズを開口端部分で支持する筒状の支持体と、前記光学レンズを前記支持体に固着させる接着剤とからなり、前記接着剤を前記支持体の前記光学レンズとの当接面に塗布し、前記支持体に前記光学レンズを取り付ける際に前記接着剤を前記支持体の開口端面に溢れ出させ、この溢れた部分を用いて前記支持体の開口端面側に突出部を形成し、この突出部の高さを前記光学レンズの上端面より高く設定したことを特徴とする光学素子の製造方法。
【請求項７】
光学信号を生成する発光素子、前記光学信号を情報記録媒体に集光する光学素子と、前記情報記録媒体からの反射信号を受信する受光素子とから構成され、前記光学素子は光学レンズと、この光学レンズを開口端部分で支持する筒状の支持体と、前記光学レンズを前記支持体に固着させる接着剤とからなり、前記接着剤を前記光学レンズと前記支持体との当接面に設けるのみならず前記支持体の開口端面側に設けて突出部を形成し、この突出部の高さを前記光学レンズの上端面より高く設定したことを特徴とする光ピックアップ装置。
【発明の詳細な説明】
【技術分野】
【０００１】
本発明は、特に情報記録媒体に対応する光ピックアップ装置およびこれに用いられる光学素子およびその製造方法に関するものである。
【背景技術】
【０００２】
一般に光ピックアップ装置１は図３に示す如く光学信号を生成する発光素子２と、光学信号を情報記録媒体３に集光する光学素子４と、情報記録媒体３からの反射信号を受信する受光素子５とから構成されており、近年パーソナルコンピュータ等の情報端末の低背化が進むに連れ、それに用いられる光ピックアップ装置の低背化が必要不可欠となっている。
【０００３】
そして、このような光ピックアップ装置１においては、従来、ＣＤやＤＶＤ等の情報記録媒体３に対して対面して配置される光学素子４が筒状の支持体６に光学レンズ７を取り付けたものを用いており、支持体６の開口端から光学レンズ７が突出した構造となっていた。
【０００４】
なお、この出願の発明に関する先行技術文献情報としては、例えば、特許文献１が知られている。
【特許文献１】特開平１０−１９９０２７号公報
【発明の開示】
【発明が解決しようとする課題】
【０００５】
しかしながら、光ピックアップ装置１の低背化が進められる中、光学素子４と情報記録媒体３との間隔が小さくなり、情報記録媒体３の回転ぶれなどにより支持体６の端面から突出した光学レンズ７が情報記録媒体３と接触してしまい、光学レンズ７の光学機能面を傷付けてしまうため、この光学レンズ７と情報記録媒体３との間隔を小さくすることが難しく、結果として光ピックアップ装置１の低背化が困難なものとなっていた。
【０００６】
そこで、本発明はこのような問題を解決し低背化可能な光ピックアップ装置およびこれに用いられる光学素子およびその製造方法を提供するものである。
【課題を解決するための手段】
【０００７】
そして、この目的を達成するために本発明の請求項１に記載の発明は、特に、光学レンズと支持体とからなる光学素子において、光学レンズを支持体に固着させる接着剤を光学レンズと支持体との当接面に設けるのみならず支持体の開口端面側に設けて突出部を形成し、この突出部の高さを光学レンズの上端面より高く設定したことで、突出部の端面が光学レンズの端面より高く設定されるので、光学レンズと情報記録媒体とが直接接触することが防止でき、光ピックアップ装置の低背化を可能とできるのである。
【０００８】
請求項２に記載の発明は、特に、接着剤としてエポキシ系樹脂を用いることで、突出部を容易に形成できるとともに、情報記録媒体の表面を保護できるのである。
【０００９】
請求項３に記載の発明は、特に、突出部を支持体の上端面及び光学レンズの外周端部分に跨るように設けたことで、光学レンズが支持体から脱落することを防止できるのである。
【００１０】
請求項４に記載の発明は、特に、突出部を光学レンズの外周端部分の全周に連続して設けたことで、支持体内部の密閉性を高めることができるのである。
【００１１】
請求項５に記載の発明は、特に、突出部の上端面を湾曲面としたことで、情報記録媒体が突出部に接触してもその表面が傷付くことを防止できるのである。
【００１２】
請求項６に記載の発明は、特に、光学レンズと支持体とからなり、光学レンズを支持体に固着させる接着剤を支持体の光学レンズとの当接面に塗布し、光学レンズを取り付ける際に接着剤を支持体の開口端面に溢れ出させ、この溢れた部分を用いて支持体の開口端面側に突出部を形成し、この突出部の高さを光学レンズの上端面より高く設定することで、容易に突出部を形成することができるのである。
【００１３】
請求項７に記載の発明は、特に、光ピックアップ装置を光学信号を生成する発光素子と、光学信号を情報記録媒体に集光する光学素子と、情報記録媒体からの反射信号を受信する受光素子とから構成し、光学素子は光学レンズと支持体とから形成し、光学レンズを支持体に固着させる接着剤を、光学レンズと支持体との当接面に設けるのみならず支持体の開口端面側に設けて突出部を形成し、この突出部の高さを光学レンズの上端面より高く設定することで、光ピックアップ装置を低背化できるのである。
【発明の効果】
【００１４】
本発明によれば、特に、光学レンズと情報記録媒体とが直接接触することが防止でき、光ピックアップ装置の低背化を可能とできるのである。
【発明を実施するための最良の形態】
【００１５】
以下、本発明の一実施の形態について図を用いて説明する。なお、上述した背景技術と同様の構成については同じ符号を付して説明する。
【００１６】
図１はＤＶＤなどの光学式情報記録媒体の記録／再生を行うための光ピックアップ装置１を示す図であり、その構造は主として光学信号を生成する発光素子２と、光学信号を情報記録媒体３に集光する光学素子４と、情報記録媒体３からの反射信号を受光素子５に分岐するビームスプリッタ１０から構成されている。
【００１７】
また、光学素子４は光信号を光学的に処理する光学レンズ７と、この光学レンズ７を光ピックアップ装置１を形成する筐体１ａに取り付けるための支持体６とから構成されており、より詳細には図２に示すように貫通孔を有する支持体６の開口端に、開口端側の径が大きくなるような段差６ａを設け、この段差６ａに光学レンズ７の外周部分を載置しこの当接面を接着剤８で固着させる構造とし、さらにこの接着剤８を支持体６の開口端面にも設けて突出部９を形成するとともに、この突出部９の高さを光学レンズ７の上端面より高く設定することで突出部９の端面が光学レンズ７の端面より高く設定されるので、図１に示す情報記録媒体３が回転ぶれを起こしても情報記録媒体３が光学レンズ７の光学機能面に接触する前に突出部９の下端部分に接触するようになり、回転する情報記録媒体３が光学レンズ７に直接接触することが防止できるので、情報記録媒体３と光学素子４との間隔を小さくすることが可能となり結果として光ピックアップ装置１を低背化できるのである。
【００１８】
なお、接着剤８はエポキシ系樹脂などの粘性が高く軟質なものを選択することで、突出部９を高く盛り上げることが容易にできるとともに、情報記録媒体３の表面がポリカーボネイトなどの硬質カバーで覆われていることから情報記録媒体３が突出部９と接触しても情報記録媒体３の表面を傷付けることも防止できるのである。
【００１９】
また、突出部９を図２に示すよう支持体６の上端面及び光学レンズ７の外周端部分に跨るように設けたことで、接着剤８が支持体６及び光学レンズ７の上端面にまで回り込むようになりその分接着剤８と支持体６及び光学レンズ７との接着面積が増加でき接着力を向上できるとともに、突出部９が光学レンズ７の上端面に回り込むことでこの回り込み部分が光学レンズ７と機械的に係合するようになり光学レンズ７が支持体６から脱落することを防止できるのである。
【００２０】
さらに、特に図示していないが突出部９を光学レンズ７の外周端部分の全周に連続して設けたことで、光学レンズ７と支持体６の当接部分の気密性が高められるので、図１に示すよう光学素子４と筐体１ａに取り付けた際、光学素子４の内部の密閉性を高めることができるのである。
【００２１】
さらにまた、突出部９の上端面を湾曲面としたことで、情報記録媒体３が突出部９に接触してもその表面が傷付くことを防止できるのである。
【００２２】
そして、突出部９の形成方法としては、接着剤８を支持体６の段差６ａの表面に塗布し、光学レンズ７を取り付ける際に接着剤８を支持体６の開口端面に溢れ出させ、この溢れた部分をもって形成すればよく、特に特殊な方法を用いることなく容易に形成することができるのである。
【００２３】
なお、このように光学素子４の表面を情報記録媒体３との接触から保護するにあたっては、支持体６の表面に保護シートを設けることも考えられるが、支持体６に光学レンズ７を取り付けた光学素子４としての完成した状態のものに対してさらに保護シートを取り付けることは、作業工程が増えることや、光学レンズ７の光学的機能面を作業により汚してしまう恐れがある等の理由により、上述した本願発明による突出部を形成する方がより効率的に保護できるのである。
【産業上の利用可能性】
【００２４】
本発明にかかる光ピックアップ装置およびこれに用いられる光学素子およびその製造方法は、光学レンズと情報記録媒体とが直接接触することが防止でき、光ピックアップ装置の低背化ができるという効果を有し、特に情報記録媒体に対応する光ピックアップ装置に有用である。
【図面の簡単な説明】
【００２５】
【図１】本発明の一実施の形態における光ピックアップ装置の構造を示す図
【図２】同光ピックアップ装置に用いられる光学素子を示す図
【図３】従来の光ピックアップ装置の構造を示す図
【符号の説明】
【００２６】
４  光学素子
６  支持体
７  光学レンズ
８  接着剤
９  突出部
【図１】
2005085291.tif 000003
【図２】
2005085291.tif 000004
【図３】
2005085291.tif 000005